(57)【要約】【課題】本考案はＴＰＯに合わせて、スカーフによりバッグ自体の色柄を変更することが可能なバッグを提供することを目的とする。【解決手段】本考案のバッグは、スカーフ１５により色柄等の外観が変更可能なバッグであって、上方が開口された開口部を有し、少なくともその周壁部５が透明なバッグ本体１と、このバッグ本体１の開口部近傍に設けられており、スカーフ１５の端が挿入されるスカーフ挿入部としてリング部９、挿入テープ部１２と、バッグ本体１の内部に収容され該バッグ本体１との間でスカーフ１５を挟持するスカーフ挟持部としての底板部１６、内周保持部１７と、を備えたことを特徴とする。【選択図】  図１
0003152530.tif 000002
【実用新案登録請求の範囲】
【請求項１】
スカーフにより外観が変更可能なバッグであって、
上方が開口された開口部を有し、少なくともその周壁が透明なバッグ本体と、
上記バッグ本体の上記開口部近傍に設けられており、上記スカーフの端が挿入されるスカーフ挿入部と、
上記バッグ本体の内部に収容され、該バッグ本体との間で上記スカーフを挟持するスカーフ挟持部と、を備えた
ことを特徴とするバッグ。
【請求項２】
スカーフにより外観が変更可能なバッグであって、
底壁部と、
上記底壁部に固着された透明の周壁部と、
上記周壁部の上方開口部近傍に設けられ、上記スカーフの端が挿入されるスカーフ挿入部と、
上記底壁部と上記周壁部により形成される収容部に収容され、上記底壁部との間で上記スカーフを挟持する底板部と、
上記収容部に収容され、上記周壁部との間で上記スカーフを挟持する内周保持部と、
を備え、上記スカーフの色柄が上記透明の周壁部を介して見えるようにした
ことを特徴とするバッグ。
【請求項３】
上記スカーフ挿入部は、上記周壁部の正面及び背面の対向する位置にそれぞれ設けられた第１の挿入部と、上記周壁部の側面の対向する位置にそれぞれ設けられた第２の挿入部からなることを特徴とする請求項２に記載のバッグ。
【請求項４】
上記スカーフ挿入部は、挿入テープ部とリング部からなり、
上記周壁部の正面及び背面の対向する位置には、それぞれ第１の補強テープ部が固着され、該第１の補強テープ部に上記挿入テープ部がそれぞれ固着されており、
上記周壁部の側面の対向する位置には、第２の補強テープ部がそれぞれ固着され、該第２の補強テープ部の上部に上記リング部がそれぞれ配設されている
ことを特徴とする請求項２に記載のバッグ。
【請求項５】
上記挿入テープ部には、ボタンが設けられており、当該ボタンを嵌合することで上記上方開口部を閉じることができる
ことを特徴とする請求項３又は請求項４の何れかに記載のバッグ。
【請求項６】
上記挿入テープ部は、上記第１の補強テープ部及び上記周壁部と、該第１の補強テープ部の裏地とで挟持された状態で縫着されている
ことを特徴とする請求項４に記載のバッグ。
【請求項７】
スカーフにより外観が変更可能なバッグであって、
略楕円形状で、その縁端から補強部が立設された底壁部と、
上記底壁部の補強部に縫着された筒型の透明な周壁部と、
上記周壁部の正面及び背面の対向する位置にそれぞれ縫着された第１の補強テープ部と、
上記第１の補強テープ部及び上記周壁部と該第１の補強テープ部の裏地とに挟持された状態で縫着された挿入テープ部と、
上記周壁部の側面の対向する位置にそれぞれ縫着された第２の補強テープ部と、
上記第２の補強テープ部の上部に設けられたリング部と、
上記底壁部と上記周壁部により形成される収容部に収容される底板部と、
上記収容部に収容される内周保持部と、
を備え、上記底壁部と上記底板部により上記スカーフが挟持され、上記周壁部の内面と上記内周保持部の外面により上記スカーフが挟持され、上記挿入テープ部及び上記リング部に上記スカーフの端が挿入され、上記スカーフの色柄が上記透明の周壁部を介して見えるようにしたことを特徴とするバッグ。
【請求項８】
スカーフにより外観が変更可能なバッグであって、
上方開口部を有し、その周壁の少なくとも一部が更に開口されているバッグ本体と、
上記バッグ本体の上記上方開口部近傍に設けられており、上記スカーフの端が挿入されるスカーフ挿入部と、
上記バッグ本体の内部に収容され、該バッグ本体との間で上記スカーフを挟持するスカーフ挟持部と、を備えた
ことを特徴とするバッグ。
【請求項９】
スカーフにより外観が変更可能なバッグであって、
略楕円形状で、その縁端から補強部が立設された底壁部と、
上記補強部の正面及び背面の対向する位置にそれぞれ縫着された第１の補強テープ部と、
上記第１の補強テープ部に縫着された挿入テープ部と、
上記補強部の側面の対向する位置にそれぞれ縫着された第２の補強テープ部と、
上記第２の補強テープ部の上部に設けられたリング部と、
上記第１の補強テープ部及び第２の補強テープ部に縫着された周壁テープ部と、
上記底壁部、上記第１の補強テープ部、上記第２の補強テープ部、上記周壁テープ部により形成される収容部に収容される底板部と、
上記収容部に収容される内周保持部と、
を備え、上記底壁部と上記底板部により上記スカーフが挟持され、上記周壁テープ部と上記内周保持部により上記スカーフが挟持され、上記挿入テープ部及び上記リング部に上記スカーフの端が挿入され、上記スカーフの色柄が見えるようにしたことを特徴とするバッグ。
【考案の詳細な説明】
【技術分野】
【０００１】
本考案は、ＴＰＯ（Time（時間）、Place（場所）、Occasion（場合））に合わせて簡易且つ迅速に色柄等の外観を変えることができるバッグに関する。
【背景技術】
【０００２】
従来、バッグはファッションのトータルバランスを図る上で重要なアイテムであり、特に女性は服装や状況等、ＴＰＯに合わせて、該トータルバランスを考慮して携帯するバッグを選択している。その際、バッグの色柄等の外観は、携帯するバッグを選択する上で重要な判断要素となる。さらに、今日では、ファッション性を高めるために、携帯するハンドバッグ等の外観を装飾するためのアクセサリについても種々の提案がなされている。
【０００３】
例えば、バッグを装飾するアクセサリであって、バッグの取っ手又は肩掛帯に掛け回すための紐体と、この紐体に取り付けられた、スカーフや手袋等の服飾小物を挟持するためのクリップとを有するバック用アクセサリがある（特許文献１参照。）。
【先行技術文献】
【特許文献】
【０００４】
【特許文献１】登録実用新案第３０３１８７７号公報
【考案の概要】
【考案が解決しようとする課題】
【０００５】
しかしながら、バッグの外観を装飾するアクセサリについては種々の提案がなされているものの、バッグ自体の色柄をスカーフによって変更する技術は存在しない。
【０００６】
そこで、本考案は上述の技術的な課題に鑑み、ＴＰＯに合わせて、スカーフにより色柄等の外観を簡易且つ迅速に変更することが可能なバッグを提供することを目的とする。
【課題を解決するための手段】
【０００７】
上述技術的な課題を解決するため、本考案の第１の態様に係るバッグは、スカーフにより外観が変更可能なバッグであって、上方が開口された開口部を有し、少なくともその周壁が透明なバッグ本体と、バッグ本体の開口部近傍に設けられており、スカーフの端が挿入されるスカーフ挿入部と、バッグ本体の内部に収容され、該バッグ本体との間でスカーフを挟持するスカーフ挟持部と、を備えたことを特徴とする。
【０００８】
そして、本考案の第２の態様に係るバッグは、スカーフにより外観が変更可能なバッグであって、底壁部と、底壁部に固着された透明の周壁部と、周壁部の上方開口部近傍に設けられ、スカーフの端が挿入されるスカーフ挿入部と、底壁部と周壁部により形成される収容部に収容され、底壁部との間でスカーフを挟持する底板部と、収容部に収容され、周壁部との間でスカーフを挟持する内周保持部と、を備え、スカーフの色柄が透明の周壁部を介して見えるようにしたことを特徴とする。
【０００９】
さらに、本考案の第３の態様に係るバッグは、スカーフにより外観が変更可能なバッグであって、略楕円形状で、その縁端から補強部が立設された底壁部と、この底壁部の補強部に縫着された筒型の透明な周壁部と、この周壁部の正面及び背面の対向する位置にそれぞれ縫着された第１の補強テープ部と、この第１の補強テープ部及び周壁部と該第１の補強テープ部の裏地とに挟持された状態で縫着された挿入テープ部と、周壁部の側面の対向する位置にそれぞれ縫着された第２の補強テープ部と、この第２の補強テープ部の上部に設けられたリング部と、底壁部と周壁部により形成される収容部に収容される底板部と、収容部に収容される内周保持部と、を備え、底壁部と底板部により上記スカーフが挟持され、周壁部の内面と内周保持部の外面により上記スカーフが挟持され、挿入テープ部及びリング部にスカーフの端が挿入され、スカーフの色柄が透明の周壁部を介して見えるようにしたことを特徴とする。
【００１０】
また、本発明の第４の態様に係るバッグは、スカーフにより外観が変更可能なバッグであって、上方開口部を有し、その周壁の少なくとも一部が更に開口されているバッグ本体と、バッグ本体の上方開口部近傍に設けられており、スカーフの端が挿入されるスカーフ挿入部と、バッグ本体の内部に収容され、該バッグ本体との間でスカーフを挟持するスカーフ挟持部と、を備えたことを特徴とする。
【考案の効果】
【００１１】
本考案に係るバッグによれば、ＴＰＯに合わせて、スカーフにより色柄等の外観を簡易且つ迅速に変更することが可能となる。
【図面の簡単な説明】
【００１２】
【図１】本考案の一実施形態に係るバッグの構成を示す図である。
【図２】本考案の一実施形態に係るバッグにスカーフを挿入した状態を示す図である。
【図３】本考案の一実施形態に係るバッグにスカーフを挿入し、実際に携帯する際の状態の一例を示した図である。
【図４】本考案の一実施形態に係るバッグの改良例の構成を示す図である。
【考案を実施するための形態】
【００１３】
以下、本考案のバッグに係る好適な実施形態について図面を参照しながら説明する。なお、本考案のバッグは、以下の記述に限定されるものではなく、本考案の要旨を逸脱しない範囲において、適宜変更可能である。
【００１４】
図１には、本考案の一実施形態に係るバッグの構成を示し、スカーフを取り付けてバッグ自体の色柄等の外観を変更する様子を説明する。
【００１５】
この図１に示されるように、底壁部２は、この例では略楕円形状となっており、その縁端からは該底壁部２の平面に垂直に補強部３が立設されている。底壁部２の形状は略楕円形状には限定されない。底壁部２の縁端、つまり底壁部２と補強部３の間には、芯材４が上記略楕円形状の底壁部２の縁端に沿って挿入されている。この芯材４により、底面の形状が安定的に維持される。そして、底壁部２から立設された補強部３には、筒型の透明な周壁部５が縫着されている。即ち、より詳細には、補強部３とその裏地１４に挟持された状態で周壁部５が縫着されている。こうして、これら底壁部２と補強部３、周壁部５が一体となり、上部開口筒型の収容部１０が作られる。
【００１６】
尚、この例では、補強部３を採用したが、該補強部３は必須の構成要素ではなく、底壁部２に周壁部５が縫着されるように構成してもよい。その場合には、底壁部２と周壁部５とにより上部開口筒型の収容部１０が作られる。さらに、この例では、芯材４を採用したが、該芯材４も必須の構成要素ではない。尚、この芯材４はポリエチレンで構成されているが、材質は、これには限定されない。
【００１７】
この周壁部５の正面及び背面の対向する位置には、それぞれ各２本の第１の補強テープ部６が縫着されており、該第１の補強テープ部６には取っ手７が縫着されている。この取っ手７の内部には、例えばポリ塩化ビニールからなる芯材が挿入されている。この第１の補強テープ部６とは、その裏地１１を含む概念である。スカーフ１５を四隅の各一端から挿入するための挿入テープ部１２は、第１の補強テープ部６の裏地１１に固着される。より詳細には、挿入テープ部１２は、第１の補強テープ部６及び周壁部５と、その裏地１１とに挟持された状態で縫着されている。この２つの挿入テープ部１２には、収容部１０の開口を閉じるための第１のボタン１８、第２のボタン１９がそれぞれ設けられている。即ち、第１のボタン１８が第２のボタン１９に嵌合されると、収容部１０の開口が閉じられるような構成となっている。
【００１８】
一方、周壁部５の側面の対向する位置には、それぞれ第２の補強テープ部８が縫着されており、該第２の補強テープ部８の上部には、スカーフ１５を四隅の各一端から挿入するためのリング部９が配設されている。そして、周壁部５の上端部分には縁取りテープ部１３が縫着され、補強されている。以上によりバッグ本体１が構成される。尚、上記説明では、各部が縫着されているとしたが、これに限定されず、広い概念では固着されていればよいことになる。
【００１９】
尚、底壁部２、補強部３、補強テープ部６，８、取っ手７は、例えばポリウレタンで構成されている。周壁部５は、例えば透明なポリ塩化ビニールで構成されている。また、裏地１１，１４は、例えばレーヨンで構成されている。縁取りテープ部１３は、例えばポリエステルで構成されている。但し、これは一例であって、バック本体１を構成する各部の材質は、これらには限定されないことは勿論である。
【００２０】
このバッグ本体１にスカーフ１５を装着する際には、先ず、スカーフ１５の四隅が挿入テープ部１２、リング部９と重なるような位置関係を維持しつつ、バック本体１の収容部１０の上にスカーフ１５を広げる。そして、その上から周壁部５より外径の小さい筒型の内周保持部１７を収容部１０に挿入し、内周保持部１７によりスカーフ１５を底壁部２側に押し込みつつ、内周保持部１７の外面と周壁部５の内面とによりスカーフ１５を挟持する。これに続いて、底板部１６を収容部１０に挿入して、該底板部１６と底壁部２とでスカーフ１５を把持する。そして、スカーフ１５を四隅の各一端から挿入テープ部１２、リング部９にそれぞれ挿入する。その様子を示したのが、図２である。尚、内周保持部１７には、ポケット２０がその内面側に設けられている。
【００２１】
尚、底板部１６、内周保持部１７は、ポリエチレンによる芯材と、ポリオール及びポリイソシアネートからなるスポンジが中に入れられており、レーヨンからなる裏地で被覆され、ポリエステルからなる縁取りテープにより周縁が縫着されている。但し、これは一例であって、底板部１６、内周保持部１７を構成する各部の材料と組成は、これらには限定されないことは勿論である。
【００２２】
この図２に示される状態では、スカーフ１５が内周保持部１７の外面と周壁部５の内面とで挟持されているので、透明な周壁部５を介してスカーフ１５の色柄が見えるような位置関係が維持され、挿入されたスカーフ１５の色柄が、バッグ自体の色柄として見えるように機能させることができる。
【００２３】
また、スカーフ１５の端が、その四隅から、挿入テープ部１２、リング部９に挿入されているので、装着されたスカーフ１５が底壁部２側に落ち込むのも防止することが可能となっている。従って、移動時に携帯している際にも、スカーフ１５が底壁部２側に落ち込むこともなく、スカーフ１５の色柄がバッグ自体の色柄として機能する状態を安定的に維持することが可能となる。
【００２４】
また、バッグ本体１に装着されたスカーフ１５は、周壁部５の内面と内周保持部１７の外面とで挟持された状態となっており、透明な周壁部５の内側に位置するので、スカーフ１５自体が汚れるのを防止することもできるようになっている。
【００２５】
実際に携帯する際には、図３に示されるように、第１のボタン１８と第２のボタン１９を嵌合し、挿入テープ部１２に挿入したスカーフ１５の対向する端を結んで使用する。荷物が多い場合には第１のボタン１８と第２のボタン１９を嵌合せずに使用してもよい。あるいは、第１のボタン１８と第２のボタン１９を嵌合し、リング部９に挿入したスカーフ１５の対向する端を広げて、収容部１０の上に広げて、更に挿入テープ部１２に挿入したスカーフ１５の対向する端部を結んで、収容部１０内部の荷物がより見えないようにしてもよい。また、スカーフ１５の端部をリング部９に単に挿入するだけでなく、リング部９に結ぶようにしてもよい。このほか、様々なバリエーションで使用することができる。
【００２６】
以上説明したように、本考案の一実施形態に係るバッグは、スカーフ１５により色柄等の外観が変更可能なバッグであって、上方が開口された開口部を有し、少なくともその周壁部５が透明なバッグ本体１と、このバッグ本体１の開口部近傍に設けられており、スカーフ１５の端が挿入されるスカーフ挿入部（例えば、リング部９、挿入テープ部１２）と、バッグ本体１の内部に収容され、該バッグ本体１との間でスカーフ１５を挟持するスカーフ挟持部（例えば、底板部１６、内周保持部１７）と、を備えたことを特徴とする。
【００２７】
更に、本考案の一実施形態に係るバッグは、スカーフ１５により色柄等の外観が変更可能なバッグであって、底壁部２と、この底壁部２に固着された透明の周壁部５と、この周壁部５の上方開口部近傍に設けられ、スカーフ１５の端が挿入されるスカーフ挿入部（例えば、リング部９、挿入テープ部１２）と、底壁部２と周壁部５により形成される収容部１０に収容され、底壁部２との間でスカーフ１５を挟持する底板部１６と、この収容部１０に収容され、周壁部５との間でスカーフ１５を挟持する内周保持部１７と、を備え、スカーフ１５の色柄が透明の周壁部５を介して見えるようにしたことを特徴とする。
【００２８】
スカーフ挿入部は、周壁部５の正面及び背面の対向する位置にそれぞれ設けられた第１の挿入部（例えば、挿入テープ部１２）と、周壁部５の側面の対向する位置にそれぞれ設けられた第２の挿入部（例えば、リング部９）からなることを特徴とする。即ち、より詳細には、スカーフ挿入部は、前述した通り挿入テープ部１２とリング部９からなり、周壁部５の正面及び背面の対向する位置には、それぞれ第１の補強テープ部６が固着され、該第１の補強テープ部６の裏地１１に挿入テープ部１２がそれぞれ固着されており、周壁部５の側面の対向する位置には、第２の補強テープ部８がそれぞれ固着され、該第２の補強テープ部８の上部にリング部９がそれぞれ配設されていることを特徴とする。更に、挿入テープ部１２は、第１の補強テープ部６及び周壁部５と該第１の補強テープ部６の裏地１１とで挟持された状態で縫着されていることを特徴とする。また、挿入テープ部１２には、第１のボタン１８、第２のボタン１９が設けられており、当該ボタン１８，１９を嵌合することで上記上方開口部を閉じることができることを特徴とする。
【００２９】
また、本考案の一実施形態に係るバッグは、スカーフ１５により外観が変更可能なバッグであって、略楕円形状で、その縁端から補強部３が立設された底壁部２と、この底壁部２の補強部３に縫着された筒型の透明な周壁部５と、この周壁部５の正面及び背面の対向する位置にそれぞれ縫着された第１の補強テープ部６と、この第１の補強テープ部６及び周壁部５と該第１の補強テープ部６の裏地１１とに挟持された状態で縫着された挿入テープ部１２と、周壁部５の側面の対向する位置にそれぞれ縫着された第２の補強テープ部８と、この第２の補強テープ部８の上部に設けられたリング部９と、底壁部２と周壁部５により形成される収容部１０に収容される底板部１６と、収容部１０に収容される内周保持部１７と、を備え、底壁部２と底板部１６によりスカーフ１５が挟持され、周壁部５の内面と内周保持部１７の外面によりスカーフ１５が挟持され、挿入テープ部１２及びリング部９にスカーフ１５の端が挿入され、スカーフ１５の色柄が透明の周壁部５を介して見えるようにしたことを特徴とする。
【００３０】
従って、スカーフ挿入部にスカーフを挿入し、スカーフ挟持部をバッグ本体の中に収容して、バッグ本体との間でスカーフを挟持するだけで、スカーフの色柄をバッグ自体の外観に反映させることが可能となる。旅行時にも、スカーフを複数毎持参するだけで、服装等に合わせた色柄等の外観のバッグに簡易且つ迅速に変更することができる。
【００３１】
以上、本考案の一実施形態について説明したが、本考案はその主旨を逸脱しない範囲で種々の改良・変更が可能である。
【００３２】
例えば、上記実施形態では、スカーフ挿入部が、周壁部５の正面及び背面の対向する位置にそれぞれ設けられた挿入テープ部１２と、周壁部５の側面の対向する位置にそれぞれ設けられたリング部９からなる例を示したが、このスカーフ挿入部は、これらには限定されず、更にその数もこれに限定されない。
【００３３】
さらに、図４に示されるように改良することもできる。ここでは、図１と同一構成については同一の符号を用いて重複した説明を省略する。この改良例では、周壁部５が採用されておらず、その代わりに周壁テープ部３０が採用されている。より詳細には、周壁テープ部３０が、第１の補強テープ部６、第２の補強テープ部８に縫着されている。この第１の補強テープ部６、第２の補強テープ部８、周壁テープ部３０以外の周壁部分は開口（即ち、周壁が存在しない状態）となる。従って、この開口部分を介して、装着されたスカーフ１５の柄が見えるようになり、バッグの外観を構成するようになる。尚、底壁部２、補強部３、第１及び第２の補強テープ部６，８、取っ手７、及び周壁テープ部３０を皮革で構成してもよいことは勿論である。
【００３４】
この改良例によれば、スカーフ１５により外観が変更可能なバッグであって、上方開口部を有し、少なくともその周壁の一部が更に開口されているバッグ本体１と、バッグ本体１の上方開口部近傍に設けられており、スカーフ１５の端が挿入されるスカーフ挿入部（例えば、挿入テープ部１２、リング部９）と、バッグ本体１の内部に収容され、該バッグ本体１との間で上記スカーフ１５を挟持するスカーフ挟持部（例えば、底板部１６と内周保持部１７）とを備えたことを特徴とするバッグが提供される。
【００３５】
より詳細には、この改良例によれば、スカーフ１５により外観が変更可能なバッグであって、略楕円形状で、その縁端から補強部３が立設された底壁部２と、補強部３の正面及び背面の対向する位置にそれぞれ縫着された第１の補強テープ部６と、この第１の補強テープ部６に縫着された挿入テープ部１２と、補強部３の側面の対向する位置にそれぞれ縫着された第２の補強テープ部８と、この第２の補強テープ部８の上部に設けられたリング部９と、第１の補強テープ部６及び第２の補強テープ部８に縫着された周壁テープ部３０と、底壁部２、第１の補強テープ部６、第２の補強テープ部８、周壁テープ部３０により形成される収容部１０に収容される底板部１６と、収容部１０に収容される内周保持部１７とを備え、底壁部２と底板部１６によりスカーフ１５が挟持され、周壁テープ部３０と内周保持部１７によりスカーフ１５が挟持され、挿入テープ部１２及びリング部９にスカーフ１５の端が挿入され、スカーフ１５の色柄が見えるようにしたことを特徴とするバッグが提供される。
【符号の説明】
【００３６】
１  バッグ本体
２  底壁部
３  補強部
４  芯材
５  周壁部
６  第１の補強テープ部
７  取っ手
８  第２の補強テープ部
９  リング部
１０  収容部
１１  裏地
１２  挿入テープ部
１３  縁取りテープ部
１４  裏地
１５  スカーフ
１６  底板部
１７  内周保持部
１８  第１のボタン
１９  第２のボタン
２０  ポケット
３０  周壁テープ部
【図１】
0003152530.tif 000003
【図２】
0003152530.tif 000004
【図３】
0003152530.tif 000005
【図４】
0003152530.tif 000006
【手続補正書】
【提出日】平成21年5月29日(2009.5.29)
【手続補正１】
【補正対象書類名】実用新案登録請求の範囲
【補正対象項目名】全文
【補正方法】変更
【補正の内容】
【実用新案登録請求の範囲】
【請求項１】
スカーフにより外観が変更可能なバッグであって、
上方が開口された開口部を有し、少なくともその周壁が透明なバッグ本体と、
上記バッグ本体の上記開口部近傍に設けられており、上記スカーフの端が挿入されるスカーフ挿入部と、
上記バッグ本体の内部に収容され、該バッグ本体との間で上記スカーフを挟持するスカーフ挟持部と、を備えた
ことを特徴とするバッグ。
【請求項２】
スカーフにより外観が変更可能なバッグであって、
底壁部と、
上記底壁部に固着された透明の周壁部と、
上記周壁部の上方開口部近傍に設けられ、上記スカーフの端が挿入されるスカーフ挿入部と、
上記底壁部と上記周壁部により形成される収容部に収容され、上記底壁部との間で上記スカーフを挟持する底板部と、
上記収容部に収容され、上記周壁部との間で上記スカーフを挟持する内周保持部と、
を備え、上記スカーフの色柄が上記透明の周壁部を介して見えるようにした
ことを特徴とするバッグ。
【請求項３】
上記スカーフ挿入部は、上記周壁部の正面及び背面の対向する位置にそれぞれ設けられた第１の挿入部と、上記周壁部の側面の対向する位置にそれぞれ設けられた第２の挿入部からなることを特徴とする請求項２に記載のバッグ。
【請求項４】
上記スカーフ挿入部は、挿入テープ部とリング部からなり、
上記周壁部の正面及び背面の対向する位置には、それぞれ第１の補強テープ部が固着され、該第１の補強テープ部に上記挿入テープ部がそれぞれ固着されており、
上記周壁部の側面の対向する位置には、第２の補強テープ部がそれぞれ固着され、該第２の補強テープ部の上部に上記リング部がそれぞれ配設されている
ことを特徴とする請求項２に記載のバッグ。
【請求項５】
上記挿入テープ部には、ボタンが設けられており、当該ボタンを嵌合することで上記上方開口部を閉じることができる
ことを特徴とする請求項４に記載のバッグ。
【請求項６】
上記挿入テープ部は、上記第１の補強テープ部及び上記周壁部と、該第１の補強テープ部の裏地とで挟持された状態で縫着されている
ことを特徴とする請求項４に記載のバッグ。
【請求項７】
スカーフにより外観が変更可能なバッグであって、
略楕円形状で、その縁端から補強部が立設された底壁部と、
上記底壁部の補強部に縫着された筒型の透明な周壁部と、
上記周壁部の正面及び背面の対向する位置にそれぞれ縫着された第１の補強テープ部と、
上記第１の補強テープ部及び上記周壁部と該第１の補強テープ部の裏地とに挟持された状態で縫着された挿入テープ部と、
上記周壁部の側面の対向する位置にそれぞれ縫着された第２の補強テープ部と、
上記第２の補強テープ部の上部に設けられたリング部と、
上記底壁部と上記周壁部により形成される収容部に収容される底板部と、
上記収容部に収容される内周保持部と、
を備え、上記底壁部と上記底板部により上記スカーフが挟持され、上記周壁部の内面と上記内周保持部の外面により上記スカーフが挟持され、上記挿入テープ部及び上記リング部に上記スカーフの端が挿入され、上記スカーフの色柄が上記透明の周壁部を介して見えるようにしたことを特徴とするバッグ。
【請求項８】
スカーフにより外観が変更可能なバッグであって、
上方開口部を有し、その周壁の少なくとも一部が更に開口されているバッグ本体と、
上記バッグ本体の上記上方開口部近傍に設けられており、上記スカーフの端が挿入されるスカーフ挿入部と、
上記バッグ本体の内部に収容され、該バッグ本体との間で上記スカーフを挟持するスカーフ挟持部と、を備えた
ことを特徴とするバッグ。
【請求項９】
スカーフにより外観が変更可能なバッグであって、
略楕円形状で、その縁端から補強部が立設された底壁部と、
上記補強部の正面及び背面の対向する位置にそれぞれ縫着された第１の補強テープ部と、
上記第１の補強テープ部に縫着された挿入テープ部と、
上記補強部の側面の対向する位置にそれぞれ縫着された第２の補強テープ部と、
上記第２の補強テープ部の上部に設けられたリング部と、
上記第１の補強テープ部及び第２の補強テープ部に縫着された周壁テープ部と、
上記底壁部、上記第１の補強テープ部、上記第２の補強テープ部、上記周壁テープ部により形成される収容部に収容される底板部と、
上記収容部に収容される内周保持部と、
を備え、上記底壁部と上記底板部により上記スカーフが挟持され、上記周壁テープ部と上記内周保持部により上記スカーフが挟持され、上記挿入テープ部及び上記リング部に上記スカーフの端が挿入され、上記スカーフの色柄が見えるようにしたことを特徴とするバッグ。